(57)【要約】【課題】頻繁に開放動作を繰り返しても保持力の低下を来さず、着脱操作を簡便に行うことができる使い勝手のよいクリップを提供すること。【解決手段】係合バネ２により後端４ａ，５ａを弾力的に把持することにより、先端部４ｂ、５ｂが互いに離間状態となるよう保持される一対の合成樹脂製のクリップ片４，５と、この両クリップ片４，５の中間部に形成される対向間隔内に挿通したカム軸６を備えた合成樹脂製の操作レバー８とから成るクリップ１であって、操作レバー８の回動操作によって、前記カム軸６が前記対向間隔を拡開して、一方のクリップ片５に取付けた物品１０と他方のクリップ片４の先端部４ｂを接合させる。【選択図】　図２
2004044671.tif 000002
【特許請求の範囲】
【請求項１】
係合バネにより後端を弾力的に把持することにより、先端部が互いに離間状態となるよう保持される一対の合成樹脂製のクリップ片と、前記両クリップ片の中間部に形成される対向間隔内に挿通したカム軸を備えた合成樹脂製の操作レバーとから成るクリップであって、
前記操作レバーの回動操作によって、前記カム軸が前記対向間隔を拡開して、一方のクリップ片に取付けた物品と他方のクリップ片の先端部が接合することを特徴とするクリップ。
【請求項２】
前記一方のクリップ片に取付けた物品が筆記用具である請求項１に記載のクリップ。
【請求項３】
前記一方のクリップ片に取付けた物品が平坦なボードである請求項１に記載のクリップ。
【発明の詳細な説明】
【０００１】
【発明の属する技術分野】
本発明は、係合バネにより後端を弾力的に把持することにより、先端部が互いに離間状態となるよう保持される一対の合成樹脂製のクリップ片と、前記両クリップ片の中間部に形成される対向間隔内に挿通したカム軸を備えた合成樹脂製の操作レバーとから成るクリップに関する。
【０００２】
【従来の技術】
例えば筆記具等を携帯して必要時には直ぐ取り出せるように、着衣の一部（例えばポケット等）に筆記具のクリップを差し込んで保持したり、或いは、書類ケースやノートの一部にクリップを差し込み保持して携帯するのが普通である。
【０００３】
そして、着衣のポケットやノート等に筆記具等を差し込み保持する場合には、例えば、図５に示すように、筆記具０１の軸状本体０２の一端に設けられた弾性変形可能なクリップ０４のバネ力を利用していた。
【０００４】
【発明が解決しようとする課題】
ところで、このようなクリップ０４は、出し入れする際にクリップのバネ力に抗して開放されるので、この開放動作が頻繁に繰り返されるとクリップ０４の変形部分に応力が集中して疲労することから弾性力が低下して把持力が甘くなり、筆記具０１がポケット等から簡単に抜け落ちて紛失する問題を有していた。
【０００５】
本発明は上記問題点に鑑みなされたもので、頻繁に開放動作を繰り返しても保持力の低下を来さず、着脱操作を簡便に行うことができる使い勝手のよいクリップを提供することを目的とする。
【０００６】
【課題を解決するための手段】
上記目的を達成するために、本発明のクリップは、係合バネにより後端を弾力的に把持することにより、先端部が互いに離間状態となるよう保持される一対の合成樹脂製のクリップ片と、前記両クリップ片の中間部に形成される対向間隔内に挿通したカム軸を備えた合成樹脂製の操作レバーとから成るクリップであって、
前記操作レバーの回動操作によって、前記カム軸が前記対向間隔を拡開して、一方のクリップ片に取付けた物品と他方のクリップ片の先端部が接合することを特徴としている。
この特徴によれば、物品とクリップとで挟持するので、物品だけがクリップから離脱する恐れはなく、しかも操作レバーの回動だけでカム軸による機械的な挟持力がえられ、開放動作を繰り返しに対して保持が低下する恐れがない。
【０００７】
また、本発明のクリップは、前記一方のクリップ片に取付けた物品が筆記用具であることが好ましい。
このようにすれば、物品が筆記用具のような棒状に形成されたもは、他方のクリップ片との協働作用で、ポケット類等の薄い布地であっても確実な挟持機能を得ることができる。
【０００８】
また、本発明のクリップは、前記一方のクリップ片に取付けた物品が平坦なボードであることが好ましい。
このようにすれば、物品が所定強度を有する平坦なボードである場合、多数の書類でも確実に保持することができる。
【０００９】
【発明の実施の形態】
本発明の実施形態について添付図面を参照して説明する。図１は本発明のクリップを筆記用具に装着した状態を示す斜視図であり、図２は図１に示すクリップの部分断面図である。
【００１０】
図１及び２において、符号１は本発明のクリップを示し、このクリップ１は、例えば弾性変形可能な合成樹脂で略Ｕ字状に形成された係合バネ２と、係合バネ２の凹所２ａ内に挿入係止して両後端の係止部４ａないし５ａを弾力的に把持することにより、後述する各先端部が離間状態となるよう保持される一対の合成樹脂製のクリップ片４、５と、前記両後端と各先端部を一体的に連絡する両クリップ片４、５の係止部４ａ、５ａ側に形成される対向間隔内に挿通したカム軸６を備えた合成樹脂製の操作レバー８とから構成されている。
【００１１】
より詳しくは、クリップ１を構成する一方のクリップ片５は、保持片として構成されて、後端が係止部５ａとして構成されると共に先端が例えばボールペン等の筆記具１０を挿通保持する装着孔Ｈを形成した筒状のホルダ５ｂが形成されている。他方のクリップ片４は挟持片として構成されて、後端が係止部４ａとして形成されると共に先端が挟持部４ｂとして形成されている。
【００１２】
一方のクリップ片に物品を取付ける手段として、必ずしも物品取付のための専用ホルダを形成する必要はなく、物品の一部をホルダとしてもよい。例えば、筆記具１０の一部を構成するキャップをホルダとして利用することもできる。このようにすれば、ホルダが筆記具の一部であるから外観上一体的な構成となるばかりでなく、筆記用具だけをキャップから外して使用することも可能である。更に別の変形例として、複数に分割されている筆記具本体のうち、一つの分割体をクリップ片として一体的に形成することも可能である。この場合、分割体同士はねじ等の手段で容易にはめはずしできるようにしておくと交換に便利である。
【００１３】
クリップ片４は、側面視略クランク状に折曲形成されて、この折曲部には挿通孔４ｃが形成されており、この挿通孔４ｃにクリップ片５の後端側を挿通することでクリップ片４、とクリップ片５とが互いに交叉した状態で組み込まれる。
【００１４】
また、操作レバー８には、クリップ片４ないし５の後端が挿通可能な略同一幅に形成された長孔８ａが設けられ、操作レバー８の端部には断面扁平形のカム軸６が形成されており、このカム軸６は両クリップ片４、５に形成される対向間隔内を挿通している。
【００１５】
そこで、一方のクリップ片５先端のホルダ５ｂに筆記具１０を挿通保持することで、筆記具１０の一部外側面と他方のクリップ片４先端に形成の挟持部４ｂとに、カム軸６の回動作用に基づく挟持機能が与えられる。
【００１６】
次に、上記のように構成されたクリップ１の作用につき図１、図２を参照して説明する。
【００１７】
両図において、クリップ片４は、筆記具１０の一部側面に対し開放状態となっており、この状態では操作レバー８は、筆記具１０の軸方向に対し略直交する方向に立設した状態で保持されており、この状態では、両クリップ片４、５とで形成される対向間隔内にカム軸６が扁平状態で挿通しており、対向間隔は係合バネ２により最小隙間に維持されている。
【００１８】
従って、このような最小隙間が維持された状態では、クリップ片４先端の挟持部４ｂは、筆記具１０に対し開放状態となっている。
【００１９】
次に、操作レバー８を、立設状態からカム軸６を中心として筆記具１０の軸線方向と略平行になるまで約９０度回動させることにより、カム軸６の扁平断面の両幅広端が対向間隔を拡開し最大隙間を形成する。
【００２０】
これにより、係合バネ２により動きが拘束されているクリップ片４は、係止部４ａを中心として、その挟持部４ｂが筆記具１０の対向面に向けて回動し、挟持部４ｂが筆記具１０の外側面を弾力的に押圧する。
【００２１】
従って、上記のように構成された本実施形態のクリップ１によれば、操作レバー８の開閉操作によるカム軸６の協働作用で係合バネ２に弾力的に把持される係止部４ａを支点としてクリップ片４の挟持部４ｂに、筆記具１０に対し大きな把持力が得られるので、着衣等のポケットに確実に装着して携帯することができるだけでなく、操作レバー８の操作によりポケット等からの着脱を簡便に行うことができる。
【００２２】
また、ホルダに取り付けられる物が筆記用具以外、例えば、携帯用の小型懐中電灯をホルダ５ｂの装着孔Ｈに挿通保持することで、懐中電灯の一部外側面とクリップ片４の挟持部４ｂによりクリップ１を構成することもできる。
【００２３】
次に、他の実施形態につき図３及び図４を参照して説明する。図３は本発明の他の実施形態に係るクリップを平坦なボードの一部に装着した状態を示す部分斜視図であり、図４は図３に示す本実施形態に係るクリップの部分断面図である。尚、上記実施形態で説明した部材と同一構成の部材は同一符号を付し、重複する説明を省略する。
【００２４】
図３，４において、符号１２は本実施形態に係るクリップを示し、このクリップ１２は、例えば弾性変形可能な合成樹脂で略Ｕ字状に形成された係合バネ２の凹所２ａ内に挿入係止して両後端１４ａないし１５ａを弾力的に把持することにより、後述する各先端部が離間状態となるよう保持される一対の合成樹脂製のクリップ片１４、１５と、これらクリップ片１４、１５の後端１４ａ、１５ａ側に形成される対向間隔内に挿通したカム軸６を備えた合成樹脂製の操作レバー８とから構成されている。
【００２５】
詳しくは、クリップ１２を構成する一方のクリップ片１４は、挟持片として構成されて、後端が係止部１４ａとして形成されると共に先端が挟持部１４ｂとして形成されており、他方のクリップ片１５は保持片として構成されて、後端が係止部１５ａとして形成されると共に、先端が物品を取付けるためのホルダ１５ｂが形成されている。このホルダ１５ｂはフラット状に形成されていて、所定強度を有する平坦なボード１６の一端表面に貼着保持することで、このボード１６の表面と挟持片１４先端の挟持部１４ｂとの間で挟持機能が得られるようになっている。
【００２６】
次に、上記のように構成されたクリップ１の作用につき図３、図４を参照して説明する。
【００２７】
図４において、クリップ片１４は、ボード１６の表面に対し開放状態となっており、この状態では、操作レバー８は、ボード１６の表面に対し略直交する方向に立設した状態に維持されており、クリップ片１４、１５の後端側で形成される対向間隔内にカム軸６が扁平状態で挿通されていて、対向間隔は最小隙間に維持されている。
【００２８】
従って、このような最小隙間が維持された状態では、クリップ片１４先端の挟持部１４ｂは、凹所内に挿入係止された係止部１４ａが係合バネ２の付勢力により、ボード１６の表面に対し開放状態となっている。
【００２９】
次に、図３に示すように、操作レバー８を、立設状態からカム軸６を中心としてボード１６の表面上方と略平行になるまで約９０度回動させることにより、カム軸６の扁平断面の両幅広端が対向間隔を拡開し最大隙間を形成する。
【００３０】
これにより、係合バネ２により係止部１４ａが拘束されているクリップ片１４は、係止部１４ａを中心としてその挟持部１４ｂがボード１６の表面に向けて回動して、ボード１６の表面を押圧する。
【００３１】
従って、上記のように構成された本実施形態のクリップ１２によれば、物品が所定強度を有する平坦なボード１６の場合では、フラット状のホルダ１５ｂをボード１６の表面の一部に接着剤等で貼着することで、ボード１６の一部とクリップ片１４先端の挟持部１４ｂによって挟持機能が得られるので、多数の書類などを確実に保持することができる。
【００３２】
【発明の効果】
本発明は以下の効果を奏する。
【００３３】
（ａ）請求項１項の発明によれば、物品とクリップとで挟持するので、物品だけがクリップから離脱する恐れはなく、しかも操作レバーの回動だけでカム軸による機械的な挟持力がえられ、開放動作を繰り返しに対して保持が低下する恐れがない。
【００３４】
（ｂ）請求項２項の発明によれば、物品が筆記用具のような棒状に形成されたもは、他方のクリップ片との協働作用で、ポケット類等の薄い布地であっても確実な挟持機能を得ることができる。
【００３５】
（ｃ）請求項３項の発明によれば、物品が所定強度を有する平坦なボードである場合、多数の書類でも確実に保持することができる。
【図面の簡単な説明】
【図１】本発明のクリップを筆記用具に装着した状態を示す斜視図である。
【図２】図１に示すクリップの部分断面図である。
【図３】本発明の他の実施形態に係るクリップを平坦なボードの一部に装着した状態を示す部分斜視図である。
【図４】図３に示す本実施形態に係るクリップの部分断面図である。
【図５】従来のクリップを設けた筆記具などの物品を示す斜視図である。
【符号の説明】
１　　　　　　　　クリップ
２　　　　　　　　係合バネ
２ａ　　　　　　　凹所
４　　　　　　　　クリップ片（挟持片）
４ａ　　　　　　　係止部（後端）
４ｂ　　　　　　　挟持部
４ｃ　　　　　　　挿通孔
５　　　　　　　　クリップ片（保持片）
５ａ　　　　　　　係止部
５ｂ　　　　　　　ホルダ（取付部）
６　　　　　　　　カム軸
８　　　　　　　　操作レバー
８ａ　　　　　　　長孔
１０　　　　　　　筆記具（物品）
１２　　　　　　　クリップ
１４　　　　　　　クリップ片（挟持片）
１４ａ　　　　　　係止部（後端）
１４ｂ　　　　　　挟持部（先端）
１５　　　　　　　クリップ片（保持片）
１５ａ　　　　　　係止部（係止部）
１５ｂ　　　　　　取付部（ホルダ）
１６　　　　　　　ボード
Ｈ　　　　　　　　装着孔
【図１】
2004044671.tif 000003
【図２】
2004044671.tif 000004
【図３】
2004044671.tif 000005
【図４】
2004044671.tif 000006
【図５】
2004044671.tif 000007